(57)【要約】      （修正有）【課題】時刻の視認性に優れ、全体の厚さが抑えられ、かつ文字板と見返し部材との位置決めが容易な時計を提供する。【解決手段】時計は、時針５ｈ、分針５ｍおよび秒針５ｓで構成される指針５と、指針５を駆動するためのムーブメント１０と、第１文字板２０と、上面に設けられた上面側凸部３８および下面に設けられた下面側凸部３７を有し、第１文字板２０の上に配置され、下面側凸部３７によって第１文字板２０に対して位置決めされた環状の第１見返し部材３０と、第１見返し部材３０の上に配置され、上面側凸部３８によって第１見返し部材３０に対して位置決めされた透明な第２文字板４０とを有し、指針５のうちのいずれかは第１文字板２０と第２文字板４０の間に配置され、指針５のうちの残りは第２文字板４０の上側に配置されている。【選択図】図１３
2020106515.tif 000002
【特許請求の範囲】
【請求項１】
時針、分針および秒針で構成される指針と、
前記指針を駆動するためのムーブメントと、
第１文字板と、
上面に設けられた上面側凸部および下面に設けられた下面側凸部を有し、前記第１文字板の上に配置され、前記下面側凸部によって前記第１文字板に対して位置決めされた環状の第１見返し部材と、
前記第１見返し部材の上に配置され、前記上面側凸部によって前記第１見返し部材に対して位置決めされた透明な第２文字板と、を有し、
前記指針のうちのいずれかは前記第１文字板と前記第２文字板の間に配置され、前記指針のうちの残りは前記第２文字板の上側に配置されていることを特徴とする時計。
【請求項２】
前記時針は前記第１文字板と前記第２文字板の間に配置され、前記分針および前記秒針は前記第２文字板の上側に配置されている、請求項１に記載の時計。
【請求項３】
前記第１文字板は、凹凸嵌合によって前記ムーブメントに対して位置決めされている、請求項１または２に記載の時計。
【請求項４】
前記第２文字板の上における前記上面側凸部と厚さ方向に重なる位置に配置され、凹凸嵌合によって前記第２文字板に対して位置決めされた環状の第２見返し部材をさらに有する、請求項１〜３のいずれか一項に記載の時計。
【請求項５】
内周面が前記第２見返し部材の外周面に接触し、上面に第１目盛が形成され、円周方向に歯車が形成された環状の第３見返し部材と、
前記歯車に嵌合し、使用者によって操作されることで前記第３見返し部材を回転させるリューズと、をさらに有し、
前記第２見返し部材の上面には、前記第１目盛との組合せで回転計算尺として機能する第２目盛が形成されている、請求項４に記載の時計。
【請求項６】
前記指針が表示する時刻とは異なる情報を表示するための小指針をさらに有し、
前記小指針は、前記ムーブメントにより駆動され、前記第１文字板と前記第２文字板の間において前記指針とは厚さ方向に異なる位置に配置されている、請求項１〜５のいずれか一項に記載の時計。
【請求項７】
前記第２文字板の中央には開口部が設けられ、前記第２文字板の上方から前記開口部を通して前記指針を視認可能である、請求項１〜６のいずれか一項に記載の時計。
【請求項８】
前記第２文字板には時刻を表示するための指標が設けられ、前記指標は樹脂と装飾粒子との混合物で構成されている、請求項１〜７のいずれか一項に記載の時計。
【請求項９】
前記装飾粒子は夜光性無機化合物である、請求項８に記載の時計。
【発明の詳細な説明】
【技術分野】
【０００１】
本発明は、時計に関する。
【背景技術】
【０００２】
特許文献１には、所定箇所に開口部が設けられた上文字板と、上文字板の上方を運針する指針と、上文字板の下側位置に配置された下文字板と、下文字板と上文字板との間でかつ上文字板における開口部の位置に対応する位置に設けられた見切枠部材と、見切枠部材内に運針可能に設けられた副針部材とを備え、見切枠部材と下文字板とが見切枠部材を下文字板に対して位置決めするための位置規制部を備える文字板が記載されている。
【０００３】
特許文献２には、時計のケース内に収納される文字板組立体であって、リング部材、第１の文字板、リング状のスペーサ、および第２の文字板を順に備え、第１および第２の文字板とスペーサとムーブメントとの互いの位置関係を規制する規制手段を備えるものが記載されている。
【先行技術文献】
【特許文献】
【０００４】
【特許文献１】特許第４５９５９７７号公報
【特許文献２】特許第５８５３５０４号公報
【発明の概要】
【発明が解決しようとする課題】
【０００５】
多機能時計は多様な情報を表示する必要があるが、個々の情報に対応した文字や指標（インデックス）などを文字板に配置すると、文字板の表示面が煩雑になり、時刻の視認性が低下する。そこで、特に時刻に関係する指標（時字）が目立つように、文字板の上方に透明な第２文字板を設けてそこに時字を配置し、環状の見返し部材で第２文字板を支持することが考えられる。第２文字板と見返し部材を一体の部品にすると部品の製造工程が煩雑になるため、それらは別体とすることが望ましく、この場合、第２文字板を見返し部材に対して確実に位置決め固定する必要がある。また、文字板を２重に設けるとその分、時計全体が厚くなるため、薄型化のための工夫も必要になる。
【０００６】
本発明は、時刻の視認性に優れ、全体の厚さが抑えられ、かつ文字板と見返し部材との位置決めが容易な時計を提供することを目的とする。
【課題を解決するための手段】
【０００７】
時針、分針および秒針で構成される指針と、指針を駆動するためのムーブメントと、第１文字板と、上面に設けられた上面側凸部および下面に設けられた下面側凸部を有し、第１文字板の上に配置され、下面側凸部によって第１文字板に対して位置決めされた環状の第１見返し部材と、第１見返し部材の上に配置され、上面側凸部によって第１見返し部材に対して位置決めされた透明な第２文字板とを有指針のうちのいずれかは第１文字板と第２文字板の間に配置され、指針のうちの残りは第２文字板の上側に配置されていることを特徴とする時計が提供される。
【０００８】
時針は第１文字板と第２文字板の間に配置され、分針および秒針は第２文字板の上側に配置されていることが好ましい。第１文字板は、凹凸嵌合によってムーブメントに対して位置決めされていることが好ましい。
【０００９】
上記の時計は、第２文字板の上における上面側凸部と厚さ方向に重なる位置に配置され、凹凸嵌合によって第２文字板に対して位置決めされた環状の第２見返し部材をさらに有することが好ましい。
【００１０】
上記の時計は、内周面が第２見返し部材の外周面に接触し、上面に第１目盛が形成され、円周方向に歯車が形成された環状の第３見返し部材と、歯車に嵌合し、使用者によって操作されることで第３見返し部材を回転させるリューズとをさらに有し、第２見返し部材の上面には、第１目盛との組合せで回転計算尺として機能する第２目盛が形成されていることが好ましい。
【００１１】
上記の時計は、指針が表示する時刻とは異なる情報を表示するための小指針をさらに有し、小指針は、ムーブメントにより駆動され、第１文字板と第２文字板の間において指針とは厚さ方向に異なる位置に配置されていることが好ましい。
【００１２】
第２文字板の中央には開口部が設けられ、第２文字板の上方から開口部を通して指針を視認可能であることが好ましい。
【００１３】
第２文字板には時刻を表示するための指標が設けられ、指標は樹脂と装飾粒子との混合物で構成されていることが好ましい。装飾粒子は夜光性無機化合物であることが好ましい。
【発明の効果】
【００１４】
上記の時計は時刻の視認性に優れ、全体の厚さが抑えられ、かつ文字板と見返し部材とを容易に位置決めすることができる。
【図面の簡単な説明】
【００１５】
【図１】時計１の上面図である。
【図２】時計１の断面図である。
【図３】時計１の断面図である。
【図４】ムーブメント１０の模式的な上面図である。
【図５】第１文字板２０の上面図である。
【図６】第１見返し３０の上面図および断面図である。
【図７】第１見返し３０の裏面図および斜視図である。
【図８】第２文字板４０の上面図および指標４１の断面図である。
【図９】第２見返し５０の上面図、断面図および裏面図である。
【図１０】第２見返し５０の目盛５２，５４を示す図である。
【図１１】回転見返し６０の上面図および断面図である。
【図１２】回転見返し６０および別の回転見返しの目盛６６，６７を示す図である。
【図１３】ムーブメント１０、第１文字板２０、第１見返し３０、第２文字板４０および第２見返し５０の接続関係を説明するための模式的な断面図である。
【発明を実施するための形態】
【００１６】
以下、図面を参照しつつ、時計について説明する。ただし、本発明は図面または以下に記載される実施形態には限定されないことを理解されたい。
【００１７】
図１は時計１の上面図であり、図２および図３は時計１の断面図である。図２および図３では、それぞれ、図１のＩＩ−ＩＩ線およびＩＩＩ−ＩＩＩ線に沿った時計１の断面を示している。時計１は、主要な構成要素として、指針５、ソーラセル９、ムーブメント１０、第１文字板２０、第１見返し３０、第２文字板４０、第２見返し５０、回転見返し６０、外装ケース７０、裏蓋７５、ベゼル８０および風防ガラス９０を有する。第１見返し３０、第２見返し５０および回転見返し６０は、見返しリングと呼ばれる環状の部材（見返し部材）であるが、簡単のため以下では単に「見返し」と呼ぶ。図１に示すように、外装ケース７０の側面における３時、８時、２時および４時の位置には、第１リューズ７１、第２リューズ７２および操作ボタン７３，７４がそれぞれ配置されている。
【００１８】
時計１は、特に航空機の操縦士向けのデザインが施されたモデルであり、円筒形のベゼル８０の上面には、図１に示すように、地対空可視信号（GROUND-AIR VISUAL SIGNAL CODE）を示す文字列が印字されている。この文字列としては、「Ｉ−REQUIRE DOCTOR」（医者が必要）、「ＩＩ−REQUIRE MEDICAL SUPPLIES」（医療品が必要）、「Ｆ−REQUIRE FOOD AND WATER」（食料と水が必要）、「Ｙ−Yes」（はい）、「Ｎ−No」（いいえ）、「ＬＬ−All WELL」（全員安全）、「Ｘ−UNABLE TO PROCEED」（進行不可能）および「Ｋ−INDICATE DIRECTION TO PROCEED」（進行方向を示せ）が、１２時の位置から時計回りに順に記載されている。
【００１９】
ベゼル８０の内側に配置された回転見返し６０およびその内側に配置された第２見返し５０の上面には、航空計算尺（回転計算尺）として機能する目盛が形成されている。回転見返し６０の目盛は、使用者が第２リューズ７２を回すことで回転する。航空計算尺については、図１０および図１２（Ａ）を参照して後述する。
【００２０】
指針５は、時針５ｈ、分針５ｍおよび秒針５ｓで構成され、第１文字板２０の中央に設けられた回転軸１９を中心としてそれぞれ時計周りに回転することで、現在時刻（時分秒）を表示する。指針５の形状は、略棒状であればよく、時計のデザインに応じて適宜変更可能である。
【００２１】
図１に示すように、時計１は、第１文字板２０上における３時、６時、９時および４時半の位置に、第１表示部１１０、第２表示部１２０、第３表示部１３０および第４表示部１４０を有する。これらの表示部は、航空計算尺の目盛（より正確には、第１見返し３０、第２見返し５０および回転見返し６０）よりも第１文字板２０の中心側に配置されている。
【００２２】
第１表示部１１０は、円板針１１１で時計１のモードを表示する。円板針１１１の上面には、「ＣＨＲ」、「ＴＭＥ」、「ＵＴＣ」、「ＳＥＴ」、「ＬＬＩ」および「ＡＬＭ」の文字列（マーク）が６０度間隔で印字されている。これらのマークは、順に、クロノグラフ（ストップウォッチ）、通常時刻表示、協定世界時の表示、時刻修正などの設定変更、時計の光量表示、およびアラーム設定の各機能に対応する。円板針１１１は、使用者が第１リューズ７１を外側に引いて回すと、第１表示部１１０の中央に設けられた回転軸を中心として回転する。時計１では、３時の位置における３角形状の時字が第１表示部１１０の指標を兼ねており、使用者が切り換えたいモードに対応するマークを３時の位置に合わせると、そのマークに対応する機能が実行される。
【００２３】
第２表示部１２０は、例えば、使用者がいる都市とは時差がある別の都市における現在時刻（ローカルタイム）を小指針１２１，１２２で表示する。小指針１２１は分針、小指針１２２は時針であり、第２表示部１２０の中央に設けられた回転軸１９ａ（図２を参照）を中心としてそれぞれ時計周りに回転する。第２表示部１２０では、時刻を２４時間表示するため、通常の時計の６時、１２時の位置が１２時、２４時にそれぞれ対応し、小指針１２２は２４時間で第２表示部１２０内を１回転する。
【００２４】
第３表示部１３０は、サマータイムのＯＮ／ＯＦＦ、曜日、および電池（後述する図４の２次電池１７）の充電量の情報を、円板針１３１で表示する。円板針１３１の上面には、サマータイムの「ＯＮ」および「ＯＦＦ」の文字、「Ｓ」（日曜）、・・・、「Ｔ」（火曜）、・・・、「Ｔ」（木曜）、・・・、「Ｓ」（土曜）の文字、ならびに充電量を示す「Ｆ」（最大）〜「Ｅ」（最小）の目盛が、円周方向に順に形成されている。円板針１３１は、例えば使用者が第１リューズ７１を外側に引いて操作ボタン７３または７４を押下すると、第３表示部１３０の中央に設けられた回転軸を中心として回転する。時計１では、９時の位置における３角形状の時字と、それに向かい合う３角形状のマーク（後述する図８（Ａ）のマーク４４）が第３表示部１３０の指標に相当する。
【００２５】
円板針１３１が曜日を表示するときには、「Ｓ」、・・・、「Ｔ」、・・・、「Ｔ」、・・・、「Ｓ」のうちで現在の曜日に対応する文字が９時の位置に配置される。サマータイムを表示させたいときには、例えば使用者が第１リューズ７１を外側に引いて操作ボタン７３または７４を押下すると、押下するたびに「ＯＮ」と「ＯＦＦ」の文字が交互に９時の位置に回転する。指針５は、「ＯＮ」が９時の位置に設定されるとサマータイムを表示し、「ＯＦＦ」が９時の位置に設定されると標準時刻を表示する。充電量を表示させたいときには、例えば使用者が第１リューズ７１を外側に引かずに操作ボタン７３または７４を押下すると、「Ｆ」〜「Ｅ」のうちで充電量に対応する目盛が９時の位置に回転する。
【００２６】
第４表示部１４０は、日付を表示するための窓部であり、図示しない日板に記載された数字のうちの１つを表示する。日板は、円周方向に「１」〜「３１」の数字が順に記載された円板状の部材であり、第１文字板２０の下方に配置され、１か月で１回転する。図示した例では、第４表示部１４０には、７日であることを示す「７」が表示されている。
【００２７】
図４は、ムーブメント１０の模式的な上面図である。ムーブメント１０は、機械的な部品と電気的な部品を含む時計１の駆動機構であり、指針５および小指針１２１，１２２の回転軸１９，１９ａを駆動する。ムーブメント１０は、外装ケース７０内の裏蓋７５側に配置された円形の枠体１１、ならびにその内部に配置されたモータ１２ａ〜１２ｄ、輪列１３ａ〜１３ｄ、アンテナ１４、時計制御ＩＣ１５ａ，１５ｂ、通信制御ＩＣ１６および２次電池１７などの部品を有する。枠体１１の円周上には、第１文字板２０の溝部（後述する図５の溝部２７）に嵌合する４個の凸部１８が、略９０度の間隔で形成されている。
【００２８】
モータ１２ａ〜１２ｄは、指針５、小指針１２１，１２２および円板針１３１を駆動するステップモータである。モータ１２ａは、時針５ｈと分針５ｍを互いに連動して回転させ、モータ１２ｂは、小指針１２１，１２２を互いに連動して回転させる。モータ１２ｃは秒針５ｓを、モータ１２ｄは円板針１３１をそれぞれ回転させる。輪列１３ａは、第１リューズ７１と円板針１１１の回転軸とを連結する歯車列である。輪列１３ｂは小指針１２１，１２２の回転軸１９ａとモータ１２ｂとを連結し、輪列１３ｃは指針５の回転軸１９とモータ１２ａ，１２ｃとを連結し、輪列１３ｄは円板針１３１の回転軸とモータ１２ｄとを連結する歯車列である。図示した形態とは異なり、すべての指針が別々のモータにより互いに独立に回転してもよい。
【００２９】
アンテナ１４は、枠体１１内における１２時の位置の周辺を面状に覆うように配置された矩形の部材であり、矩形のアンテナ電極１４ａでＧＰＳ（Global Positioning System：全地球測位システム）などの衛星電波、標準電波またはその他の無線電波を受信する。時計制御ＩＣ１５ａ，１５ｂは、モータ１２ａ〜１２ｄによる指針５などの駆動を制御するための電子部品であり、通信制御ＩＣ１６は、アンテナ１４による受信動作を制御し、受信された信号を処理するための電子部品である。これらのＩＣは、枠体１１内に配置された図示しない回路基板上に実装されている。時計１はアンテナ１４により時刻情報を受信して現在時刻を設定可能な電波時計であるが、アンテナ１４および通信制御ＩＣ１６は必須の部品ではなく、電波の受信機能（通信機能）はなくてもよい。
【００３０】
２次電池１７は、第１文字板２０とムーブメント１０の間に配置されたソーラセル９により充電可能な電池であり、モータ１２ａ〜１２ｄ、時計制御ＩＣ１５ａ，１５ｂおよび通信制御ＩＣ１６に電力を供給する。２次電池１７はモータ１２ａ〜１２ｃ、輪列１３ｂ，１３ｃおよび時計制御ＩＣ１５ａ，１５ｂと時計１の厚さ方向に重なって配置されているため、図４ではその位置を破線で示している。時計１の電源としては、２次電池１７ではなく１次電池を使用してもよく、この場合にはソーラセル９はなくてもよい。
【００３１】
図５は、第１文字板２０の上面図である。第１文字板２０は、外装ケース７０内におけるムーブメント１０（かつソーラセル９）の上に配置される略円板状の部材であり、風防ガラス９０を通して入射した光が下側のソーラセル９に届くように、透光性の材料で構成される。第１文字板２０は、第１表示部１１０、第２表示部１２０、第３表示部１３０および第４表示部１４０に対応して、上面における３時、６時、９時および４時半の位置に、第１表示領域２１、第２表示領域２２、第３表示領域２３および第４表示領域２４を有する。
【００３２】
第１表示領域２１、第２表示領域２２および第３表示領域２３はいずれも円形であり、それぞれの中央には、円板針１１１、小指針１２１，１２２および円板針１３１の回転軸が通る軸穴２１ａ，２２ａ，２３ａが設けられている。第４表示領域２４は矩形の開口部である。第１文字板２０の中央には、指針５の回転軸１９が通る軸穴２６が設けられている。
【００３３】
第１表示領域２１では、軸穴２１ａを中心とする３時の方向における中心角６０度程度の扇形の領域に、現在選択されているモードのマークを強調して示すための縞模様のパターン２１ｂが形成され、第３表示領域２３では全域に同様のパターンが形成されている。第２表示領域２２では、「４」、「ＡＭ」、「８」、「１２」、「１６」、「ＰＭ」、「２０」および「２４」の文字が円周上に記載され、その外側における２重の円周上に、２４個の目盛と６０個の目盛がそれぞれ等間隔に形成されている。時計１では、円板針１１１，１３１は透明な円板であり、上方（風防ガラス９０側）から円板針１１１，１３１を通して第１表示領域２１および第３表示領域２３の縞模様のパターンを視認可能であるが、このパターンはなくてもよく、円板針１１１，１３１は不透明であってもよい。
【００３４】
第１文字板２０における上側（１２時側）には、中心角１２０度程度の円弧上に、衛星電波の受信に関する指標２５として、「ＲＸ−ＴＭＥ」（時刻情報の取得）、「ＮＯ」（受信失敗）、「ＯＫ」（受信成功）および「ＲＸ−ＧＰＳ」（位置情報の取得）の文字列が印字されている。受信に関する情報を表示するときには、指針５は、これらの指標２５のいずれかを指すことで、対応する情報を使用者に報知する。
【００３５】
第１文字板２０の外周部には、第１文字板２０の面内で径方向に凹凸が形成されており、第１文字板２０は、この凹凸により計８個の溝部を有する。これらの溝部は、凹凸形状だけでも第１文字板２０の表裏が分かるように、１２時と６時の方向を結ぶ中心線に関して左右非対称に配置されている。このうち、符号２７で示した４個の溝部は、ムーブメント１０の４個の凸部１８にそれぞれ嵌合する。すなわち、第１文字板２０は、凹凸嵌合によってムーブメント１０に対して位置決めされている。符号２８で示した他の４個の溝部には、第１見返し３０の４個の凸部（後述する図７（Ａ）の凸部３７）がそれぞれ嵌合する。
【００３６】
図６（Ａ）〜図６（Ｅ）は、第１見返し３０の上面図および断面図である。図７（Ａ）および図７（Ｂ）は、第１見返し３０の裏面図および斜視図である。図６（Ｂ）〜図６（Ｅ）では、それぞれ、図６（Ａ）のＶＩＢ−ＶＩＢ線、ＶＩＣ−ＶＩＣ線、ＶＩＤ−ＶＩＤ線およびＶＩＥ−ＶＩＥ線に沿った第１見返し３０の断面を示している。
【００３７】
第１見返し３０は、第１文字板２０の外周上に配置され、時計１の装飾的な役割と、第１文字板２０と上方の第２文字板４０との間の空間を埋め第２文字板４０を支持するスペーサの役割とを兼ねる環状の見返しリング（第１見返し部材の一例）である。第１見返し３０は、第１表示部１１０、第２表示部１２０および第３表示部１３０に対応して、３時、６時および９時の位置に、第１突出部３１、第２突出部３２および第３突出部３３を有する。これらの突出部における第１見返し３０の中心側には、第１文字板２０の円形の第１表示領域２１、第２表示領域２２および第３表示領域２３に沿うように、半円形の傾斜面３１ａ，３２ａ，３３ａが形成されている。これらの傾斜面は、図６（Ｂ）に示すように、それぞれ、外周側が最も高く、中心側に向かって低くなる。
【００３８】
第１見返し３０の中心側における符号３４で示す領域は開口部であり、この内部に第１表示部１１０、第２表示部１２０、第３表示部１３０、第４表示部１４０および回転軸１９が配置される。開口部３４の内側端部における第１突出部３１、第２突出部３２および第３突出部３３以外の部分にも、傾斜面３１ａ，３２ａ，３３ａと同様の傾斜面３６が形成されている。また、第１見返し３０の内周面における４時半の位置には、第４表示部１４０に対応する略矩形の溝部が形成されている。
【００３９】
第１見返し３０は、上面と下面がともに平坦（互いに平行）な円環状の外周部３５を有する。外周部３５の下面には４個の凸部３７が、上面には４個の凸部３８が、それぞれ略９０度の間隔で形成されている。凸部３７と凸部３８は、円周方向の同じ位置に重なって配置されていてもよいが、第１見返し３０では互いに異なる位置にずれて配置されている。両者の位置関係が分かるように、図６（Ａ）の上面図でも、下面側の凸部３７の位置を破線で示している。凸部３７は下面側凸部の一例であり、第１文字板２０の溝部２８に嵌合する。すなわち、第１見返し３０は、凸部３７によって第１文字板２０に対して位置決めされている。凸部３８は上面側凸部の一例であり、第２文字板４０の溝部（後述する図８（Ａ）の溝部４７）に嵌合する。
【００４０】
図８（Ａ）および図８（Ｂ）は、第２文字板４０の上面図および指標４１の断面図である。第２文字板４０は、第１見返し３０を介して第１文字板２０の上方に配置された透明な板材であり、第２文字板４０の外周部が第１見返し３０の外周部３５の上面に載ることで、第１文字板２０の略全体を覆っている。第２文字板４０は、１２個の指標４１、都市表示４２、時差表示４３、マーク４４、開口部４５および目盛４６を有する。
【００４１】
第２文字板４０には、第１文字板２０が視認できる程度に透明であれば着色された部材や着色層を設けた部材を使用することができる。例えば、空をイメージした薄い青色や夕日をイメージした薄い橙色に第２文字板４０を着色しておくことで、時計１が航空機の操縦士向けのデザインが施されたモデルであることをより強調する視覚的効果を付与することができる。
【００４２】
指標４１は、第２文字板４０の外周側における円周上に等間隔に配置された時刻表示用の図形（時字、インデックス）である。個々の指標４１は、例えば、図８（Ｂ）に示すように夜光塗料４１ａ、樹脂フィルム４１ｂおよび接着層（粘着層）４１ｃの３層構造を有し、樹脂フィルム４１ｂ上に夜光塗料４１ａが塗布されたものを接着層４１ｃで第２文字板４０の上面に貼り付けることで形成される。図示した例では、１２個の指標４１のうちで、１２時のものが最も大きく、１時、５時、７時および１１時のものが次に大きく、その他のものはさらに小さい。また、３時と９時の指標４１は略３角形状（尖った台形）であるが、その他の指標４１は長方形またはそれに近い台形である。このように、指標同士で大きさ、形状および径方向の位置などが互いに異なっていてもよい。また、指標４１の代わりに、文字、数字、記号または突起などを第２文字板４０上に形成してもよい。
【００４３】
夜光塗料４１ａは、例えば、アルミン酸ストロンチウム蛍光体や硫化亜鉛などの夜光性無機化合物である装飾粒子を樹脂に混合させたものであり、光を蓄え夜間の暗い場所で発光する性質を有する。指標４１は上記の３層構造のものに限らず、夜光塗料４１ａを第２文字板４０上に直接印刷してもよい。あるいは、指標４１として、夜光塗料以外に、反射性もしくは光沢性を有する粒状の材料または着色用の顔料などの装飾粒子を樹脂に混合させたものを使用してもよい。
【００４４】
従来の時計は、時刻に関係するインデックス（時字）を目立つように配置することで、時刻視認性を確保している。しかしながら、電波時計の場合には、時字を大きく目立つように配置するとそれによって電波の受信が阻害されやすく、受信感度が低下し得る。時計１では、第１文字板２０の上方に離れて配置された第２文字板４０の上に指標４１が形成されているので、第１文字板２０に時字を形成した場合と比べて受信感度の低下を防ぐことができる。また、時計１では、図２、図４および図８（Ａ）から分かるように、特に１２時の位置の指標４１がアンテナ１４の直上に配置されているが、指標４１の材質は樹脂と装飾粒子との混合物であるため、指標４１によって電波の受信が阻害されることはない。
【００４５】
都市表示４２は、世界共通の標準時に基づく時差に応じた順序で、複数の都市または地域の略称を円周方向に配列したものである。各都市または地域の略称はアルファベット３文字で表され、これらの文字列は、１２個の指標４１と同じ円周上における指標４１同士の間に配置されている。時差表示４３は、都市表示４２に含まれる各都市または地域について世界協定時基準の時差を示す「−１２」〜「＋１４」の数字であり、各都市または地域の略称の上段または下段に配置されている。図１の第２表示部１２０は、例えば、都市表示４２に含まれる都市または地域であって、指針５が表示する時刻と時差がある別の都市における現在時刻を表示する。
【００４６】
マーク４４は、９時の位置における指標４１に向かい合う３角形状のマークであり、図１の第３表示部１３０の指標に相当する。開口部４５は、第２文字板４０の中央を中心とし６時側に配置された直径が相対的に大きい半円と、同じく第２文字板４０の中央を中心とし１２時側に配置された直径が相対的に小さい半円とを組み合わせた形状を有する。目盛４６は、開口部４５の１２時側の半円に沿って形成されており、時計１が「ＬＬＩ」（時計の光量表示）のモードにあるときに、ソーラセル９の発電量の大きさを指針５で示すためのものである。目盛４６では、９時の位置が発電量最小を、３時の位置が発電量最大をそれぞれ表す。
【００４７】
図２および図３に示すように、時計１では、時針５ｈが第２文字板４０の下側（第１文字板２０との間）に配置されている。透明文字板は透明であっても一定の反射率を有するため、このように透明文字板の下側に指針を配置すると、その指針の視認性が低下するおそれがある。また、文字板を２重に配置すると、それらによりソーラセルへの入射光の一部が遮蔽されて充電効率が低下するおそれもある。しかしながら、時計１では、第２文字板４０が開口部４５を有するため、第２文字板４０によって時針５ｈの視認性が低下することはなく、開口部４５がない場合と比べて充電効率の低下も抑制される。
【００４８】
第２文字板４０の外周部には、中心側に向けて窪んだ１０個の溝部が形成されている。図８（Ａ）では、これらの溝部のうちで、２時と４時の位置に形成された２個を除く８個を、符号４７，４８で示している。このうち、符号４７で示した４個の溝部は、第１見返し３０の４個の凸部３８にそれぞれ嵌合する。すなわち、第２文字板４０は、凸部３８によって第１見返し３０に対して位置決めされている。符号４８で示した残りの４個の溝部には、第２見返し５０の４個の凸部（後述する図９（Ａ）〜図９（Ｃ）の凸部５６）がそれぞれ嵌合する。
【００４９】
図９（Ａ）〜図９（Ｃ）は、第２見返し５０の上面図、断面図および裏面図である。図９（Ｂ）では、図９（Ａ）のＩＸＢ−ＩＸＢ線に沿った第２見返し５０の断面を示している。第２見返し５０は、第２文字板４０の外周上に配置され、時計１の装飾的な役割と、航空計算尺を構成する一方の目盛の役割とを兼ねる環状の見返しリング（第２見返し部材の一例）である。第２見返し５０は中央に円形の開口部５５を有し、この内部に第２文字板４０の指標４１、都市表示４２、時差表示４３、マーク４４、開口部４５および目盛４６が配置される。第２見返し５０の外周側と内周側には、傾斜角度が互いに異なる傾斜面５１，５３がそれぞれ形成されている。水平方向（図９（Ｂ）の横方向）に対する傾斜角度は傾斜面５１よりも傾斜面５３の方が大きく、第２見返し５０の枠の太さ（水平方向の幅）は傾斜面５３の部分よりも傾斜面５１の部分の方が大きい。
【００５０】
図９（Ｃ）に示すように、第２見返し５０の下面には、第２文字板４０の溝部４８に嵌合する４個の凸部５６が、９０度の間隔で形成されている。すなわち、第２見返し５０は、凹凸嵌合によって第２文字板４０に対して位置決めされている。図９（Ａ）の上面図でも、凸部５６の位置を破線で示している。
【００５１】
第２見返し５０は、第２文字板４０の上における溝部４７，４８や溝部４８に嵌合する凸部５６と厚さ方向に重なる位置に配置されている。第２見返し５０を不透明の材料で構成し、こうした溝部や凸部を風防ガラス９０側から見えなくなるように覆い隠すと、時計１の美観が向上し、デザインの観点で好ましい。ただし、溝部４８を第２文字板４０の厚さ方向の下面側だけに設け、かつ第２文字板４０の外周部を不透明にするなど、第１見返し３０と第２文字板４０との嵌合部分を隠す必要がない場合には、第２見返し５０を省略してもよい。
【００５２】
図１０は、第２見返し５０の目盛５２，５４を示す図である。第２見返し５０の傾斜面５１，５３には、図１０に示す目盛５２，５４がそれぞれ形成されている。外周側の傾斜面５１には、「１０」〜「９０」の数字も併せて印字されている。目盛５２，５４は、第２目盛の一例であり、以下で説明する回転見返し６０の目盛との組合せで航空計算尺（回転計算尺）として機能する。図９（Ａ）では、第２見返し５０の形状が分かるように、目盛５２，５４の記載を省略している。
【００５３】
図１１（Ａ）〜図１１（Ｃ）は、回転見返し６０の上面図および断面図である。図１１（Ｂ）および図１１（Ｃ）では、それぞれ、図１１（Ａ）のＸＩＢ−ＸＩＢ線およびＸＩＣ−ＸＩＣ線に沿った回転見返し６０の断面を示している。回転見返し６０は、円形の開口部６５を有する環状の部材（第３見返し部材の一例）であり、インジケータリングとも呼ばれる。回転見返し６０は、内周面が第２見返し５０の外周面に接触するように、第２見返し５０とベゼル８０の間かつ外装ケース７０の上に配置されている（図２および図３を参照）。図１１（Ｂ）に示すように、回転見返し６０の縦断面は、水平部６１と鉛直部６２とがつなぎ合わされた略「く」の字型の形状を有し、両者のつなぎ目の部分における外周側には、ベゼル８０の凸部が収まる凹部６４が形成されている。水平部６１の上面は、回転見返し６０の外周側よりも中心側が低い傾斜面６１ａになっている。
【００５４】
鉛直部６２の下端には、図１１（Ｃ）に示す歯車６３が、回転見返し６０の全周にわたって形成されている。図１１（Ｃ）では、左側が回転見返し６０の下側（ムーブメント１０側）に、右側が回転見返し６０の上側（風防ガラス９０側）にそれぞれ相当する。歯車６３は第２リューズ７２に嵌合しており、回転見返し６０は、使用者が第２リューズ７２を回すことで、第２見返し５０の周囲を円周方向に回転する。
【００５５】
図１２（Ａ）は、回転見返し６０の目盛６６を示す図である。回転見返し６０の傾斜面６１ａには、図１２（Ａ）に示す目盛６６が形成されており、「１０」〜「９０」の数字も併せて印字されている。目盛６６は、第１目盛の一例であり、航空計算尺（回転計算尺）を構成する他方の目盛に相当する。図１１（Ａ）では、回転見返し６０の形状が分かるように、目盛６６の記載を省略している。航空計算尺は、第２見返し５０の目盛５２，５４（内側スケール）に対して回転見返し６０の目盛６６（外側スケール）を適宜回転させることで簡易的な計算を行うものである。目盛５２，５４，６６は、風防ガラス９０の直下に配置されており、時計１の内部で使用者の目に最も近い位置にあるため、使用者にとって見易い。
【００５６】
図１２（Ｂ）は、別の回転見返しの目盛６７を示す図である。目盛６７は、数字以外の目盛部分の裏地が白色に塗られている点のみが図１２（Ａ）の目盛６６とは異なり、その配置自体は目盛６６と同じである。時計のデザインによっては、回転見返し６０の傾斜面６１ａには、目盛６６の代わりに目盛６７を形成してもよい。
【００５７】
図１３（Ａ）および図１３（Ｂ）は、ムーブメント１０、第１文字板２０、第１見返し３０、第２文字板４０および第２見返し５０の接続関係を説明するための模式的な断面図である。図１３（Ａ）は、これらの部材が組み合わされた状態を示し、図１３（Ｂ）は、接続関係が分かるように部材同士を上下に離した状態を示している。図１３（Ａ）に示すように、ムーブメント１０、第１文字板２０、第１見返し３０、第２文字板４０および第２見返し５０の外径は略同じである。
【００５８】
上記の通り、ムーブメント１０の凸部１８は第１文字板２０の溝部２７に、第１見返し３０の下面側の凸部３７は第１文字板２０の溝部２８に、それぞれ嵌合する。第１見返し３０の上面側の凸部３８は第２文字板４０の溝部４７に、第２見返し５０の凸部５６は第２文字板４０の溝部４８に、それぞれ嵌合する。このように、第１見返し３０の上下の面に凸部３７，３８を設けて、それらを第１文字板２０と第２文字板４０に嵌合させることで、第２文字板４０などの各部材の位置を容易に合わせることができる。
【００５９】
ただし、凸部１８，３７，３８，５６の一部または全部は、第１文字板２０または第２文字板４０を厚さ方向に貫通していなくてもよい。この場合、例えば、第１文字板２０の溝部２７は下面側のみに、溝部２８は上面側のみに開放されていてもよい。また、溝部２７，２８，４７，４８の一部または全部は、第１文字板２０または第２文字板４０の外周側に開放されてなくてもよく、文字板の径方向の内側に形成された開口部であってもよい。また、上記の形態とは逆に、例えば、第１文字板２０に凸部を、第１見返し３０に溝部をそれぞれ形成したり、第２文字板４０に凸部を、第２見返し５０に溝部をそれぞれ形成したりして、部材同士を互いに凹凸嵌合させてもよい。
【００６０】
図１３（Ａ）に示すように、時計１では、指針５のうちで、時針５ｈは第１文字板２０と第２文字板４０の間に配置され、分針５ｍと秒針５ｓは、第２文字板４０の上側（第２文字板４０と風防ガラス９０の間）に配置されている。また、図２に示すように、第２表示部１２０の小指針１２１（および小指針１２２）も第１文字板２０と第２文字板４０の間に配置され、時針５ｈと小指針１２１，１２２は、互いに接触しないように、文字板間における厚さ方向に異なる位置に配置されている。図示した形態とは異なり、分針５ｍまたは秒針５ｓを第１文字板２０と第２文字板４０の間に、残りの指針５を第２文字板４０の上側に配置してもよい。あるいは、例えば時針５ｈと分針５ｍなど、指針５のうちの２本を第１文字板２０と第２文字板４０の間に、残りの指針５を第２文字板４０の上側に配置してもよい。
【００６１】
このように、３本の指針５の厚さ方向の位置を第２文字板４０の上下に分けることで、第２文字板４０の上に３本の指針５を配置した場合と比べて時計全体の厚さを薄くしつつ、文字板を立体的に表現することができるので、時計１の美観が向上する。また、時計１では、第１文字板２０と第２文字板４０の間に３本の指針５を配置した場合と比べて指針５の（すなわち時刻の）視認性が高くなる。
【符号の説明】
【００６２】
１    時計
５    指針
１０    ムーブメント
１８，３７，３８，５６    凸部
２０    第１文字板
２７，２８，４７，４８    溝部
３０    第１見返し
４０    第２文字板
５０    第２見返し
６０    回転見返し
７０    外装ケース
７５    裏蓋
８０    ベゼル
９０    風防ガラス
【図１】
2020106515.tif 000003
【図２】
2020106515.tif 000004
【図３】
2020106515.tif 000005
【図４】
2020106515.tif 000006
【図５】
2020106515.tif 000007
【図６】
2020106515.tif 000008
【図７】
2020106515.tif 000009
【図８】
2020106515.tif 000010
【図９】
2020106515.tif 000011
【図１０】
2020106515.tif 000012
【図１１】
2020106515.tif 000013
【図１２】
2020106515.tif 000014
【図１３】
2020106515.tif 000015